(57)【特許請求の範囲】
【請求項１】
トレッド部が、２本の周方向細溝によって、タイヤ赤道を含むセンター領域と、前記センター領域の幅方向両外側に位置するショルダー領域とに区画された空気入りタイヤにおいて、
前記ショルダー領域に配設された陸部は、複数の横溝によって区画されたブロックで構成され、かつ１本の周方向主溝によって、幅方向内側に位置する第１ショルダーブロック列と幅方向外側に位置する第２ショルダーブロック列とに区画され、
前記センター領域に配設された陸部は、少なくとも１本の周方向主溝と前記周方向細溝とによって区画された複数のリブ列で構成され、かつ前記リブ列は複数の幅方向サイプが形成され、
前記トレッド部の全接地面積をＳ、前記リブ列の接地面積の合計をＳ１、前記第１ショルダーブロック列の接地面積の合計をＳ２、及び前記第２ショルダーブロック列の接地面積の合計をＳ３とした場合に、０．４５Ｓ≦Ｓ１≦０．５５Ｓ、０．１５Ｓ≦Ｓ２≦０．２５Ｓ、及び０．２０Ｓ≦Ｓ３≦０．３５Ｓであり、
タイヤ赤道から接地端までの距離をＷ１、タイヤ赤道から前記周方向細溝までの距離をＷ２とした場合に、Ｗ２／Ｗ１＝０．４５±０．０３であることを特徴とする空気入りタイヤ。 
【請求項２】
前記センター領域に配設された陸部は、タイヤ赤道を挟んで両側で延びる２本の周方向主溝と前記周方向細溝とによって、タイヤ赤道を含む第１センターリブ列と、前記第１センターリブ列の幅方向両外側に位置する第２センターリブ列とに区画されるものであり、前記第１センターリブ列の接地面積をＳ１１、前記第２センターリブ列の接地面積の合計をＳ１２とした場合に、０．１５Ｓ≦Ｓ１１≦０．３０Ｓ、０．２０Ｓ≦Ｓ１２≦０．３２Ｓ、０．７Ｓ１１≦（Ｓ１２＋Ｓ２）／２≦１．２Ｓ１１、及びＳ２＜Ｓ１２である請求項１記載の空気入りタイヤ。
【請求項３】
前記横溝の延在方向に延び、前記第２センターリブ列にて閉端する切欠き溝を配設したものである請求項２記載の空気入りタイヤ。
【発明の詳細な説明】
【技術分野】
【０００１】
本発明は、トレッド部が、２本の周方向細溝によって、タイヤ赤道を含むセンター領域と、該センター領域の幅方向両外側に位置するショルダー領域とに区画され、アイス制動性能とスノー制動性能とを両立した空気入りタイヤに関する。
【背景技術】
【０００２】
従来より、スタッドレスタイヤのアイス性能を向上させる目的で、トレッド部の各領域（センター領域及びショルダー領域）に複数のサイプを形成したものが知られている。そして、アイス制動性能を向上させる目的で、トレッド部の各領域にタイヤ幅方向に延びるサイプを数多く形成して、前後方向のエッジ効果を高めてきた。また、スノー制動性能を向上させる目的で、トレッド部の各領域にタイヤ幅方向に延びる横溝を数多く形成し、前後方向でのトラクション性能を向上させてきた。
【０００３】
従来、アイス制動性能とスノー制動性能との両者をバランス良く向上させる方法として、図２に示すように、トレッド部１０１にて、周方向主溝１０２と横溝１０３とに区画されたブロックを構成し、さらに該ブロックには、各々幅方向サイプ１０４を形成することが一般的に行われてきた。かかるトレッド部１０１を備える空気入りタイヤは、横溝１０３に起因してスノートラクション性能が向上することにより、スノー制動性能が向上する。また、幅方向サイプ１０４に起因して、エッジ効果が高まることにより、アイス制動性能が向上する。
【０００４】
ここで、上記の構成を備える空気入りタイヤにおいて、アイス制動性能をさらに向上するには、トレッド部の接地面積を大きくする、即ち、溝面積を小さくする必要がある。しかし、溝面積を小さくするために単に横溝本数を減らすと、トラクション性能が低下することでスノー制動性能が悪化する場合がある。したがって、従来の方法では、アイス制動性能とスノー制動性能との両者をさらに向上することには限界があった。
【０００５】
下記特許文献１では、トレッドの中央領域に配設された第１周方向主溝と、第１周方向主溝の幅方向両外側に配設された第２周方向主溝と、幅方向両端部から第２周方向主溝を横断して第１周方向主溝に向かって延び、第１周方向主溝に対して連結しない横溝と、横溝の第１周方向主溝側の端部に連結され、周方向に延び、かつ周方向に隣接する横溝とは連結しない副溝と、を備えた空気入りタイヤが記載されている。かかる空気入りタイヤでは、副溝よりも幅方向外側領域にて横溝を配設することにより、スノー制動性能の向上を図るものである。また、横溝を第１周方向主溝に対して連結させないことで、第１周方向主溝と第２周方向主溝との間に周方向に延びるリブ列を配設し、接地面積を確保することにより、アイス制動性能の向上を図るものである。
【０００６】
しかし、下記特許文献１に記載された空気入りタイヤでは、幅方向外側領域でのブロック列での接地面積が相対的に大きいため、かかる部位での面内収縮力（タイヤを接地させた際に、接地面内で中心部に向かって作用する力）の影響が大きくなり、全体として制動方向に発生する力が小さくなる。その結果、かかる空気入りタイヤでは、アイス制動性能が十分に向上するものではなかった。
【０００７】
また、下記特許文献２では、トレッド部が、タイヤ周方向に連続して延びる中央周方向リブと、中央周方向リブ両側に隣接して配置され、タイヤ周方向に連続して延びる左右一対の中央周方向溝と、中央周方向溝の外側に隣接して配置され、タイヤ周方向に延びる左右一対の中間部ロック列と、中間ブロック列の外側に隣接して配置され、タイヤ周方向に連続して延びる左右一対の両側周方向溝と、両側周方向溝の外側に隣接して配置され、タイヤ周方向に延びる左右一対の両側ブロック列とを備え、トレッド部の全接地幅に対して、中央周方向リブの接地幅を１１〜１３％、中間ブロック列の接地幅を１５〜１７％、両側ブロック列の接地幅を１５〜１８％とした空気入りタイヤが記載されている。かかる空気入りタイヤでは、トレッド部の幅方向外側領域にて配設されたブロック列での接地面積を大きくし、かかる領域にて横溝やサイプを重点的に配置することでアイス制動性能及びスノー制動性能の両方の向上を図るものである。
【０００８】
しかし、下記特許文献２に記載された空気入りタイヤでは、各リブ列及びブロック列での接地面積比を（中央周方向リブ）＜（中間ブロック列）≦（両側ブロック列）とするものであるため、幅方向外側領域でのブロック列の接地面積が相対的に大きくなる。これにより、かかる部位での面内収縮力の影響が大きくなり、全体として制動方向に発生する力が小さくなる。その結果、かかる空気入りタイヤでは、やはりアイス制動性能が十分に向上するものではなかった。
【特許文献１】特開２００３−２１１９２１号公報
【特許文献２】特開２０００−１６８３１６号公報
【発明の開示】
【発明が解決しようとする課題】
【０００９】
本発明は上記実情に鑑みてなされたものであり、その目的は、アイス制動性能とスノー制動性能とを両立した空気入りタイヤを提供することにある。
【課題を解決するための手段】
【００１０】
本発明者らは、上記目的を達成すべく、トレッドパターンの各領域（センター領域及びショルダー領域）において、低μ路面（アイス路面に相当）上でタイヤへ制動付加し、タイヤが滑り始めるまでの制動力分担について鋭意検討を行った。その結果、面内収縮力の影響により、ショルダー領域では前後方向（制動方向）に発生する力がセンター領域に比べて小さくなること、並びにショルダー領域の幅方向外側に配設された陸部の接地面積を相対的に小さくすることにより、ショルダー領域の幅方向外側に配設された陸部での面内収縮成分が小さくなり、全体として制動方向に発生する力が大きくなることが判明した。本発明は、上記の検討の結果なされたものであり、下記の如き構成により上述の目的を達成するものである。
【００１１】
即ち、本発明に係る空気入りタイヤは、トレッド部が、２本の周方向細溝によって、タイヤ赤道を含むセンター領域と、前記センター領域の幅方向両外側に位置するショルダー領域とに区画された空気入りタイヤにおいて、前記ショルダー領域に配設された陸部は、複数の横溝によって区画されたブロックで構成され、かつ１本の周方向主溝によって、幅方向内側に位置する第１ショルダーブロック列と幅方向外側に位置する第２ショルダーブロック列とに区画され、前記センター領域に配設された陸部は、少なくとも１本の周方向主溝と前記周方向細溝とによって区画された複数のリブ列で構成され、かつ前記リブ列は複数の幅方向サイプが形成され、前記トレッド部の全接地面積をＳ、前記リブ列の接地面積の合計をＳ１、前記第１ショルダーブロック列の接地面積の合計をＳ２、及び前記第２ショルダーブロック列の接地面積の合計をＳ３とした場合に、０．４５Ｓ≦Ｓ１≦０．５５Ｓ、０．１５Ｓ≦Ｓ２≦０．２５Ｓ、及び０．２０Ｓ≦Ｓ３≦０．３５Ｓであることを特徴とする。
【００１２】
本発明の空気入りタイヤでは、リブ列の接地面積の合計（Ｓ１）、第１ショルダーブロック列の接地面積の合計（Ｓ２）、及び第２ショルダーブロック列の接地面積の合計（Ｓ３）が、トレッド部の全接地面積（Ｓ）に対して、０．４５Ｓ≦Ｓ１≦０．５５Ｓ、０．１５Ｓ≦Ｓ２≦０．２５Ｓ、及び０．２０Ｓ≦Ｓ３≦０．３５Ｓとなるように構成されている。ここで、「リブ列の接地面積の合計」とは、センター領域に配設されたリブ列全ての接地面積の合計を意味する。また、「第１ショルダーブロック列の接地面積の合計」とは、トレッド部の幅方向両外側に配設された一対の第１ショルダーブロック列の接地面積の合計を意味する。同様に、「第２ショルダーブロック列の接地面積の合計」とは、トレッド部の幅方向両外側に配設された一対の第２ショルダーブロック列の接地面積の合計を意味する。
【００１３】
かかる構成によれば、トレッド部において、ショルダー領域の幅方向外側に位置するブロック列（第２ショルダーブロック列）の接地面積が相対的に小さくなるため、面内収縮成分が小さくなり、全体として制動方向に発生する力が大きくなる。さらに、センター領域でのリブ列の接地面積が相対的に大きくなるため、制動方向に発生する力が大きいセンター領域でのリブ列にて幅方向サイプのサイプ密度を高めることができる。その結果、本発明の空気入りタイヤでは、アイス制動性能を向上することができる。さらに、センター領域に配設されたリブ列での幅方向サイプのサイプ密度が高まることにより、特に圧雪路面において幅方向サイプの前後方向でのエッジ効果が有効に作用する。その結果、特に圧雪路面でのスノー制動性能を向上することができる。加えて、本発明の空気入りタイヤでは、ショルダー領域に配設された陸部が複数の横溝によって区画されたブロックで構成されるため、トラクション性能が向上する。その結果、スノー制動性能を向上することができる。
【００１４】
上記において、前記センター領域に配設された陸部は、タイヤ赤道を挟んで両側で延びる２本の周方向主溝と前記周方向細溝とによって、タイヤ赤道を含む第１センターリブ列と、前記第１センターリブ列の幅方向両外側に位置する第２センターリブ列とに区画されるものであり、前記第１センターリブ列の接地面積をＳ１１、前記第２センターリブ列の接地面積の合計をＳ１２とした場合に、０．１５Ｓ≦Ｓ１１≦０．３０Ｓ、０．２０Ｓ≦Ｓ１２≦０．３２Ｓ、０．７Ｓ１１≦（Ｓ１２＋Ｓ２）／２≦１．２Ｓ１１、及びＳ２＜Ｓ１２であることが好ましい。ここで、「第２センターリブ列の接地面積の合計」とは、第１センターリブ列の幅方向両外側に位置する一対の第２センターリブ列の接地面積の合計を意味する。
【００１５】
かかる構成によれば、トレッド部において、特に制動方向に発生する力が大きい第１センターリブ列の接地面積が相対的に大きくなるため、かかるリブ列での幅方向サイプのサイプ密度をより高めることができる。さらに、周方向細溝を介して隣接する第２センターリブ列と第１ショルダーブロック列とにおいて、第２センターリブ列の接地面積が第１ショルダーブロック列の接地面積よりも相対的に大きくなるため、面内収縮力の影響が小さくなるとともに、センター領域でのサイプ密度をより高めることができる。その結果、かかる構成によれば、さらにアイス制動性能を向上しつつ、特に圧雪路面でのスノー制動性能も向上することができる。
【００１６】
上記において、前記横溝の延在方向に延び、前記第２センターリブ列にて閉端する切欠き溝を配設したものであることが好ましい。かかる構成によれば、制動方向に発生する力が大きいセンター領域に配設された第２センターリブ列にて、幅方向に延びる切欠き溝が配設されるため、スノー制動性能がより向上する。
【００１７】
上記において、タイヤ赤道から接地端までの距離をＷ１、タイヤ赤道から前記周方向細溝までの距離をＷ２とした場合に、Ｗ２／Ｗ１＝０．４５±０．０３であることが好ましい。ここで、「タイヤ赤道から周方向細溝までの距離」とは、タイヤ赤道から周方向細溝の幅方向中心線までの距離を意味する。
【００１８】
本発明者らは、特にトレッド部の面内収縮力に注目して実験と検討を行った結果、トレッド部が２本の周方向細溝によってセンター領域とショルダー領域とに区画されたものである場合、Ｗ２／Ｗ１＝０．４５±０．０３となる幅方向位置を境界線として、かかる境界線よりもセンター側（センター領域）では、アイス路面にて制動方向に発生する力が大きく、一方、かかる境界線よりもショルダー側（ショルダー領域）ではアイス路面にて制動方向に発生する力が小さいことを見出した。
【００１９】
したがって、トレッド部が２本の周方向細溝によってセンター領域とショルダー領域とに区画されたものである場合、Ｗ２／Ｗ１＝０．４５±０．０３となる幅方向位置に周方向細溝が配設され、かかる周方向細溝よりも幅方向内側（センター領域）のリブ列でのリブ幅を大きく設定し、かかるリブ列での幅方向サイプのサイプ密度を高めることにより、アイス制動性能とスノー制動性能、特にアイス制動性能と圧雪路面でのスノー制動性能とをより向上することができる。
【発明を実施するための最良の形態】
【００２０】
以下、本発明の実施の形態について、図面を参照しながら説明する。図１は、本発明の空気入りタイヤにおけるトレッドパターンの一例を示す展開図である。
【００２１】
本実施形態の空気入りタイヤは、図１に示すように、トレッド部１が、２本の周方向細溝３によって、タイヤ赤道ＣＬを含むセンター領域Ｃｅと、センター領域Ｃｅの幅方向両外側に位置するショルダー領域Ｓｈとに区画されている。また、ショルダー領域Ｓｈに配設された陸部は、複数の横溝４によって区画されたブロックで構成され、かつ周方向主溝２によって、幅方向両外側に位置する一対のショルダー領域Ｓｈの各々が、幅方向内側に位置する第１ショルダーブロック列Ｓｈ−１と幅方向外側に位置する第２ショルダーブロック列Ｓｈ−２とに区画されている。ここで、周方向細溝３の溝幅としては特に限定されるものではないが、例えば０．５〜２ｍｍのものが挙げられる。また、横溝４の溝幅としては、例えば４〜７ｍｍのものが挙げられる。なお、第２ショルダー部Ｓｈ−２は接地端７を跨いで幅方向外側に延設された部分を含むものであってもよい（図示省略）。
【００２２】
さらに、センター領域Ｃｅに配設された陸部は、タイヤ赤道ＣＬを挟んで両側で延びる２本の周方向主溝２と周方向細溝３とによって、タイヤ赤道ＣＬを含む第１センターリブ列Ｃｅ−１と、第１センターリブ列Ｃｅ−１の幅方向両外側に位置する第２センターリブ列Ｃｅ−２とに区画され、第１センターリブ列Ｃｅ−１と第２センターリブ列Ｃｅ−２とには複数の幅方向サイプ５が形成されている。なお。本実施形態においては、幅方向サイプがショルダー領域Ｓｈに配設されたブロック列にも形成されている。
【００２３】
ショルダー領域Ｓｈに配設された周方向主溝２の溝幅は、４．５〜８ｍｍであることが好ましい。かかる範囲で設定されることにより、面内収縮力により第２ショルダーブロック列Ｓｈ−２が幅方向内側に倒れこむ際に、幅方向内側に位置する第１ショルダーブロック列Ｓｈ−１にて支持することができる。その結果、ショルダー領域Ｓｈでの接地面積を確保し、アイス制動性能を向上することができる。また、センター領域Ｃｅに配設された周方向主溝２の溝幅は、４．５〜８ｍｍであることが好ましい。
【００２４】
センター領域Ｃｅに形成される幅方向サイプ５間の間隔は、ブロック剛性を確保しつつ、前後方向のエッジ効果が好適に作用するものであれば特に限定されるものではないが、例えば３〜６ｍｍのものが挙げられる。また、幅方向サイプ５のサイプ幅についても特に限定されるものではなく、例えば０．２〜０．５ｍｍのものが挙げられる。なお、幅方向サイプ５は、タイヤ幅方向に対して傾斜するものであってもよい。
【００２５】
第２センターリブ列Ｃｅ−２には、横溝４の延在方向に延び、第２センターリブ列Ｃｅ−２内で閉端する切欠き溝６が配設されている。幅方向に延びる切欠き溝６が、センター領域に配設された第２センターリブ列Ｃｅ−２に配設されることにより、スノー制動性能がより向上する。かかる切欠き溝６の溝幅は、横溝４と略同等であってよい。
【００２６】
本実施形態に係る空気入りタイヤにおいては、トレッド部の全接地面積をＳ、第１センターリブ列Ｃｅ−１の接地面積をＳ１１、第２センターリブ列Ｃｅ−２の接地面積の合計をＳ１２、第１ショルダーブロック列Ｓｈ−１の接地面積の合計をＳ２、及び第２ショルダーブロック列Ｓｈ−２の接地面積の合計をＳ３とした場合に、０．１５Ｓ≦Ｓ１１≦０．３０Ｓ、０．２０Ｓ≦Ｓ１２≦０．３２Ｓ、０．１５Ｓ≦Ｓ２≦０．２５Ｓ、及び０．２０Ｓ≦Ｓ３≦０．３５Ｓとなる。また、０．７Ｓ１１≦（Ｓ１２＋Ｓ２）／２≦１．２Ｓ１１、及びＳ２＜Ｓ１２となる。なお、リブ列の接地面積の合計をＳ１とした場合、本実施形態ではＳ１＝Ｓ１１＋Ｓ１２となり、０．４５Ｓ≦Ｓ１≦０．５５Ｓの関係が成り立つ。
【００２７】
トレッド部１のリブ列とブロック列とが上記の関係にある場合、ショルダー領域Ｓｈの幅方向外側に位置するブロック列（第２ショルダーブロック列Ｓｈ−２）の接地面積が相対的に小さくなるため、面内収縮成分が小さくなり、全体として制動方向に発生する力が大きくなる。さらに、センター領域Ｓｈでのリブ列の接地面積が相対的に大きくなるため、制動方向に発生する力が大きいセンター領域Ｃｅでのリブ列にて幅方向サイプのサイプ密度を高めることができる。さらに本実施形態では、特に制動方向に発生する力が大きい第１センターリブ列Ｃｅ−１の接地面積が大きくなるため、かかるリブ列での幅方向サイプ５のサイプ密度を高めることができる。また、周方向細溝３を介して隣接する第２センターリブ列Ｃｅ−２と第１ショルダーブロック列Ｓｈ−１とにおいて、第２センターリブ列Ｃｅ−２の接地面積が第１ショルダーブロック列Ｓｈ−１の接地面積よりも相対的に大きくなるため、面内収縮力の影響が小さくなるとともに、センター領域Ｃｅでのサイプ密度をより高めることができる。このような構成を備えることにより、本実施形態の空気入りタイヤでは、アイス制動性能を向上することができる。加えて、センター領域Ｃｅに配設されたリブ列での幅方向サイプのサイプ密度が高まることにより、特に圧雪路面において幅方向サイプ５の前後方向でのエッジ効果が有効に作用する。その結果、特に圧雪路面でのスノー制動性能を向上することができる。
【００２８】
また、本実施形態の空気入りタイヤでは、ショルダー領域Ｓｈに配設された陸部が複数の横溝４によって区画されたブロックで構成されるため、トラクション性能が向上する。その結果、スノー制動性能を向上することができる。
【００２９】
ここで、図１に示すように、タイヤ赤道ＣＬから接地端７までの距離をＷ１、タイヤ赤道ＣＬから周方向細溝３までの距離をＷ２とした場合に、Ｗ２／Ｗ１＝０．４５±０．０３となる幅方向位置に周方向細溝３が配設され、かかる周方向細溝３よりも幅方向内側（センター領域）の第１センターリブ列Ｃｅ−１及び第２センターリブ列Ｃｅ−２でのリブ幅を大きく設定し、これらのリブ列での幅方向サイプ５のサイプ密度を高めることにより、アイス制動性能とスノー制動性能、特にアイス制動性能と圧雪路面でのスノー制動性能とをより向上することができる。
【００３０】
本発明では、トレッド部１全体のサイプ密度が０．１〜０．２ｍｍ／ｍｍ２であることが好ましく、０．１３〜０．１６ｍｍ／ｍｍ２であることがより好ましい。また、トレッド部１に形成されるサイプは直線サイプに限られず、波型サイプであってもよい。
【００３１】
本発明の空気入りタイヤは、上記の如きトレッドパターンを備える以外は、通常の空気入りタイヤと同等であり、従来公知の材料、形状、構造、製法等がいずれも本発明に採用できる。
【００３２】
本発明の空気入りタイヤは、アイス制動性能とスノー制動性能とを両立させることができるため、特にスタッドレスタイヤとして有用である。
【００３３】
［他の実施形態］
以下、本発明の他の実施の形態について説明する。
【００３４】
（１）前述の実施形態では、図１に示すように、センター領域Ｃｅにてタイヤ赤道ＣＬを挟んで両側で延びる２本の周方向主溝２が配設された例を示したが、タイヤ赤道ＣＬ上に１本の周方向主溝を配設したものであってもよい。タイヤ赤道ＣＬ上に１本の周方向主溝を配設した場合は、複数本の周方向主溝を配設した場合に比べて、センター領域での陸部面積が有効に確保され、センター領域での陸部剛性を高めることができる。これにより、センター領域での幅方向サイプ密度を高めることができるため、かかる構成を備える空気入りタイヤでは、アイス制動性能とスノー制動性能、特にアイス制動性能と圧雪路面でのスノー制動性能とをより向上することができる。
【００３５】
（２）前述の実施形態では、図１に示すように、周方向主溝２がストレート状に形成された例を示したが、周方向主溝はジグザグ状に形成されたものであってもよい。かかる構成によれば、周方向主溝の前後方向及び横方向に対するエッジ効果が向上する。これにより、かかる構成を備える空気入りタイヤでは、さらにアイス制動性能が向上するとともに、アイス旋回性能を向上することができる。
【実施例】
【００３６】
以下、本発明の構成と効果を具体的に示す実施例等について説明する。なお、タイヤの各性能評価は、次のようにして行った。
【００３７】
（１）アイス制動性能
テストタイヤ（サイズ２０５／６５Ｒ１５）を実車（国産３０００ｃｃクラスのＦＲセダン）に装着し、１名乗車の荷重条件にて、アイス路面を走行させ、速度４０ｋｍ／ｈで制動力をかけてＡＢＳを作動させた際の制動距離を指数で評価した。なお、評価は従来品（比較例１）を１００としたときの指数表示で示し、数値が大きいほど良好なアイス制動性能を示す。
【００３８】
（２）スノー制動性能
テストタイヤ（サイズ２０５／６５Ｒ１５）を実車（国産３０００ｃｃクラスのＦＲセダン）に装着し、１名乗車の荷重条件にて、圧雪路面を走行させ、速度４０ｋｍ／ｈで制動力をかけてＡＢＳを作動させた際の制動距離を指数で評価した。なお、評価は従来品（比較例１）を１００としたときの指数表示で示し、数値が大きいほど良好なスノー制動性能を示す。
【００３９】
実施例１
図１に示すトレッド部において、タイヤ赤道ＣＬから接地端７までの距離をＷ１、タイヤ赤道ＣＬから周方向細溝３までの距離をＷ２とした場合におけるＷ２／Ｗ１＝０．４５とし、さらにトレッド部１の全接地面積をＳ、第１センターリブ列Ｃｅ−１の接地面積をＳ１１、第２センターリブ列Ｃｅ−２の接地面積の合計をＳ１２、第１ショルダーブロック列Ｓｈ−１の接地面積の合計をＳ２、及び第２ショルダーブロック列Ｓｈ−２の接地面積の合計をＳ３とした場合に、Ｓ１１＝０．２２Ｓ、Ｓ１２＝０．２６Ｓ、Ｓ２＝０．２２Ｓ、及びＳ３＝０．３０Ｓに設定した空気入りタイヤを製造した。かかるタイヤを用いて、上記の各性能評価を行った結果を表１に示す。
【００４０】
従来品（比較例１）
図２に示すトレッド部において、周方向主溝１０２と横溝１０３とに区画され、トレッド部１０１の各領域にて均一な形状のブロックを構成し、さらに該ブロックには、各々幅方向サイプ１０５を形成したこと以外は実施例１と同様にして空気入りタイヤを製造した。かかるタイヤを用いて、上記の各性能評価を行った結果を表１に示す。
【００４１】
比較例２−３
実施例１において、Ｗ２／Ｗ１＝０．４１とした以外は実施例１と同様にして空気入りタイヤを製造した（比較例２）。また、実施例１において、Ｗ２／Ｗ１＝０．４９とした以外は実施例１と同様にして空気入りタイヤを製造した（比較例３）。これらのタイヤを用いて、上記の各性能評価を行った結果を表１に示す。
【００４２】
比較例４−５
実施例１において、Ｓ１１＝０．２８Ｓ、Ｓ１２＝０．３３Ｓ、Ｓ２＝０．２１Ｓ、及びＳ３＝０．１８Ｓに設定した以外は実施例１と同様にして空気入りタイヤを製造した（比較例４）。また、実施例１において、Ｓ１１＝０．２０Ｓ、Ｓ１２＝０．２０Ｓ、Ｓ２＝０．２４Ｓ、及びＳ３＝０．３６Ｓに設定した以外は実施例１と同様にして空気入りタイヤを製造した（比較例５）。これらのタイヤを用いて、上記の各性能評価を行った結果を表１に示す。
【００４３】
【表１】
0005106209.tif 000002
【００４４】
表１の結果から、実施例１の空気入りタイヤでは、比較例１の空気入りタイヤに比べて、アイス制動性能及びスノー制動性能に優れることがわかる。一方、比較例２の空気入りタイヤでは、ショルダー領域のブロック幅が大きくなるため、面内収縮力の影響により、アイス路面にて制動方向に発生する力が小さくなる。その結果、アイス制動性能が向上せず、比較例１の空気入りタイヤと略同等となった。また、比較例３の空気入りタイヤでは、ショルダー領域のブロック幅が小さくなるため、ショルダー領域に配設されたブロックでのトラクション性能が低下する。その結果、スノー制動性能が向上せず、比較例１の空気入りタイヤと略同等となった。さらに、比較例４の空気入りタイヤでは、ショルダー領域Ｓｈの幅方向外側に位置するブロック列（第２ショルダーブロック列Ｓｈ−２）の接地面積が小さくなるため、ショルダー領域に配設されたブロックでのトラクション性能が低下する。その結果、比較例１の空気入りタイヤに比べてスノー制動性能が悪化した。また、比較例５の空気入りタイヤでは、ショルダー領域Ｓｈの幅方向外側に位置するブロック列（第２ショルダーブロック列Ｓｈ−２）の接地面積が大きくなるため、ショルダー領域Ｓｈの幅方向外側に配設された陸部での面内収縮成分が大きくなり、全体として制動方向に発生する力が小さくなる。その結果、比較例１の空気入りタイヤに比べてアイス制動性能が悪化した。
【図面の簡単な説明】
【００４５】
【図１】本発明の空気入りタイヤにおけるトレッドパターンの一例を示す展開図
【図２】比較例１で採用した従来の空気入りタイヤのトレッドパターンを示す展開図
【符号の説明】
【００４６】
１：トレッド部
２：周方向主溝
３：周方向細溝
４：横溝
５：幅方向サイプ
６：切欠き溝
７：接地端
Ｃｅ：センター領域
Ｓｈ：ショルダー領域
【図１】
0005106209.tif 000003
【図２】
0005106209.tif 000004